(57)【要約】【課題】製造が比較的容易であり、うず電流の発生を抑制することができ、円滑に動作させることのできるブラシレスモータを提供する。【解決手段】回転軸１８を有する円柱状の磁性体からなるロータ本体１９にロータ本体１９の周方向へ互いに間隔をおいて配置される複数の永久磁石板２０が設けられたロータ１５と、回転磁界を生じ永久磁石板２０との磁気相互作用によりロータ１５を回転させるステータ１４とを備えるブラシレスモータ１１。各永久磁石板２０は、複数の永久磁石片２２に絶縁材料２７を介して相互に組み合わせて構成されている。ロータ１５の周方向の磁束分布が波形状になるように、永久磁石板２０の少なくとも一つはロータ１５の周方向の少なくとも一方の側縁が階段形状または回転軸方向に関して傾斜した直線部分を含む形状のいずれか一方である。【選択図】  図４
2005006372.tif 000002
【特許請求の範囲】
【請求項１】
回転軸を有する円柱状の磁性体からなるロータ本体に該ロータ本体の周方向へ互いに間隔をおいて配置される複数の永久磁石板が設けられたロータと、回転磁界を生じ前記永久磁石板との磁気相互作用により前記ロータを回転させるステータとを備えるブラシレスモータであって、
前記各永久磁石板は、絶縁材料を介して相互に組み合わせられる複数の永久磁石片からなり、前記ロータの磁束密度の周方向への変化が正弦波形状に近くなるように、前記永久磁石板の少なくとも一つは前記ロータの周方向の少なくとも一方の側縁が階段形状または前記回転軸の軸線方向に関して傾斜した直線部分を含む形状のいずれか一方であることを特徴とするブラシレスモータ。
【発明の詳細な説明】
【０００１】
【発明の属する技術分野】
本発明は、例えば電気掃除機のような家庭用電気製品の駆動源として用いるのに好適なブラシレスモータに関する。
【０００２】
【従来の技術】
ブラシレスモータは、摺動部であるブラシが設けられておらず、このため、騒音が少なく耐久性が高く高回転にも適していることなどから、家庭用電気製品に用いられている。
【０００３】
この種のブラシレスモータは、回転軸を有するロータと該ロータを取り巻いて配置され回転磁界を生じるステータとを備える。前記ロータは、回転軸を有する円柱状の磁性体からなるロータ本体を有し、該ロータ本体には、その周方向へ互いに間隔をおいて配置される複数の永久磁石板が設けられている。前記各永久磁石板は単一の永久磁石からなっている。この前記ロータ本体の永久磁石板の磁界と前記ステータの回転磁界との磁気相互作用によって前記ロータが回転する（例えば、特許文献１参照。）。
【０００４】
前記各永久磁石板の前記ロータの周方向に位置する両側縁は回転軸方向と平行になっている。そのため、前記各永久磁石板により前記ロータの外周に形成される磁束の密度の変化は互いに隣り合う前記永久磁石板間で急激に減少することから、前記永久磁石板によって形成される前記ロータの周方向に沿った磁束密度の変化は、矩形波形状のような急激な変化を生じる。前記ロータの磁束密度が該ロータの周方向に沿って急激に変化すると、前記ステータの回転磁界との磁気相互作用が急激に変化する。このことから、前記ブラシレスモータの円滑な動作を得る上で、磁束密度の急激な変化を防止することが望ましい。
【０００５】
そこで、前記ロータの前記永久磁石板による磁束密度の変化を該ロータの周方向へ滑らかに変化させるためにスキュー着磁法が提案されている。このスキュー着磁法では、基本的には、前記ロータ本体に前記各永久磁石板を設けることに代えて磁性体である前記ロータ本体が着磁される。このスキュー着磁法では、前記ロータ本体の外周面に形成される磁極面が回転軸方向に沿って周方向にねじれをもつように着磁されるので、前記ロータの周方向で見ると磁極面の面積が徐々に変化する。従って、前記ロータの磁束密度が該ロータの周方向へ滑らかな波形状に変化することから、前記ロータが円滑に動作し、これにより前記ブラシレスモータの振動及び騒音の低減が図られる。
【０００６】
【特許文献１】
特開平７−２４１０５１号公報（第２−６頁、第３図）
【０００７】
【発明が解決しようとする課題】
しかしながら、スキュー着磁法では、ロータに永久磁石となるスキュー着磁面を形成することが容易ではない。
【０００８】
さらに、前記永久磁石内部のうず電流が問題になる。該永久磁石内部に生じるうず電流は該永久磁石の温度を高めることにより、その磁力を低減させる。また、大型の該永久磁石ほど大きなうず電流を生じ易い。スキュー着磁法では前記各永久磁石が大型化することから、このうず電流の影響を受け易く、そのため、安定した回転を得るには不利である。
【０００９】
そこで、本発明の目的は、製造が比較的容易であり、うず電流の発生を抑制することができ、円滑に動作させることのできるブラシレスモータを提供することにある。
【００１０】
【課題を解決するための手段】
前記した目的を達成するため、本発明は、回転軸を有する円柱状の磁性体からなるロータ本体に該ロータ本体の周方向へ互いに間隔をおいて配置される複数の永久磁石板が設けられたロータと、回転磁界を生じ前記永久磁石板との磁気相互作用により前記ロータを回転させるステータとを備えるブラシレスモータであって、前記各永久磁石板は、絶縁材料を介して相互に組み合わせられる複数の永久磁石片からなり、前記ロータの磁束密度の周方向への変化が正弦波形状に近くなるように、前記永久磁石板の少なくとも一つは前記ロータの周方向の少なくとも一方の側縁が階段形状または回転軸方向に関して傾斜した直線部分を含む形状のいずれか一方であることを特徴とする。
【００１１】
【発明の実施の形態】
〈実施の形態１〉
本発明をブラシレスモータの実施の形態１を示す図１ないし図１１に沿って説明する。図１は、本発明に係るブラシレスモータを備えた電動送風機の一例を示す。
【００１２】
本発明に係る電動送風機１０は、図１に示すように、ブラシレスモータ１１と送風ファン１２とを備える。ブラシレスモータ１１は一端開放の全体に筒状のモータケース１３を有し、モータケース１３の開口端には送風ファン１２が取り付けられている。
【００１３】
さらに、ブラシレスモータ１１は、モータケース１３内に配置されるステータ１４およびロータ１５を有する。ステータ１４は筒状を呈し、モータケース１３内で該モータケースの周壁に沿って配置されている。ステータ１４は、従来よく知られているように、磁性体からなるステータコア１６と、該ステータコアに図示しない絶縁層を介して巻きつけられた複数のステータコイル１７とを有する。  各ステータコイル１７には、図示しない制御回路により位相制御された多相の直流駆動電圧が印加されることにより、筒状のステータ１４の内方に回転磁界が生じる。
【００１４】
筒状のステータ１４の内方に、ロータ１５が配置されている。ロータ１５は、図２および図３に示すように、回転軸１８を有する円柱状の磁性体からなるロータ本体１９と、該ロータ本体に支持され、ロータ本体１９の周方向に互いに間隔を置いて配置された複数の永久磁石板２０とを有する。各永久磁石板２０は、従来よく知られているように、ロータ本体１９の周方向へ異なる磁極面（Ｓ磁極面およびＮ磁極面）が交互に位置するように配置されている。図３に示す例では、ロータ本体１９には取付け穴１９ａが設けられ、各取付け穴１９ａに各永久磁石板２０がそれぞれ嵌合されている。永久磁石板２０は全体に瓦形状を呈し、永久磁石板２０は回転軸１８と直角な横断面で見て弧状の断面形状を有する。
【００１５】
再び図１を参照するに、ロータ１５は、その回転軸１８を支持する軸受２１により、モータケース１３に回転自在に支持されている。回転軸１８には、モータケース１３の開放端の側で、送風ファン１２の羽根１２ａが固定されている。モータケース１３の開放端には、羽根１２ａを覆うようにファンケース１２ｂが装着されている。ファンケース１２ｂの中央部には、空気取入口１２ｃが設けられている。
【００１６】
ブラシレスモータ１１のステータコイル１７に駆動電圧が印加されると、このステータコイル１７による回転磁界と、ロータ１５に取り付けられた永久磁石板２０による磁界との磁気相互作用により、ロータ１５がその回転軸１８の回りに回転し、回転軸１８と一体的に羽根１２ａが回転する。この羽根１２ａの回転により、空気取り入れ口１２ｃから空気が吸引され、モータケース１３に設けられた図示しないが従来よく知られた排出口より吸引空気が排出される。
【００１７】
ロータ１５のロータ本体１９に設けられる各永久磁石板２０ａの詳細を図４に示す。図４に示す例では、永久磁石板２０ａは６つの同一寸法および同一磁気強度の永久磁石片２２ａを有する。各永久磁石片２２ａは、ほぼ均等な厚さ寸法を有する全体に細長い帯状の磁石片からなり、弧状に沿ってその長手方向に湾曲した形状を有する。各永久磁石片２２ａは同一の厚さ方向へ磁化されている。各永久磁石片２２ａは、それらの内側面２３および外側面２４がそれぞれ同一方向に向くように、互いの頂面２５および底面２６を対向させて上下方向へ積層状に配置されている。各永久磁石片２２ａは、それらの対向する各頂面２５および各底面２６間に電気絶縁材料２７を介して互いに電気的に遮断された状態で一体的に結合されており、これにより各永久磁石板２０ａが構成されている。
【００１８】
図４に示す例では、永久磁石板２０ａに積層された各永久磁石片２２ａは、最下位置にある永久磁石片２２ａから最上位にある永久磁石片２２ａに向けて、順次、長手方向すなわち周方向へずれを以て積層されている。このため、外側面２４から見た図５に示すように、各永久磁石片２２ａの両端面が階段状に配置されている。図５に示される二点鎖線は回転軸方向に垂直な縁部を持つ従来の永久磁石板２８の形状を示す。
【００１９】
本発明に係る永久磁石板２０ａは、図２および図３に示すように、永久磁石片２２ａの積層方向が回転軸方向に沿い、各永久磁石片２２ａの外側面２４がロータ１５の周方向に沿うように、ロータ本体１９に組み付けられる。前記したように、ロータ本体１９の周方向へ異磁極が配列されるように、複数の永久磁石板２０ａが磁化方向を反転させて交互に配列される。
【００２０】
図４および図５に示す永久磁石板２０ａでは、同一の永久磁石片２２ａがロータ１５の同一な周方向へ順次ずれを以て配置されていることから、この永久磁石板２０ａは、その中央部を間に挟む両縁部で周方向の外縁へ向けて磁極面が漸減する。そのため、この永久磁石板２０ａが組み込まれた図３に示すロータ１５では、各永久磁石板２０ａの両縁での磁極面積の漸減に応じて図６に示すように、ロータ１５の周方向への表面磁束密度の変化が理想的な表面磁束密度を示す正弦曲線２９に近くなる。
【００２１】
図６のグラフはロータ１５の外周での表面磁束密度と、回転軸１８の回りの角度との関係を示す。  図５に仮想線で示したような回転軸１８に平行な直縁を有する従来の永久磁石板２８では、図６に仮想線で示す矩形特性線３０に沿って表面磁束密度が変化する。しかしながら、本発明の永久磁石板２０ａでは、前記したとおり、その両側縁での磁極面積の漸減に応じて磁束密度が変化することから、正弦曲線２９に近似した磁束密度の変化を示す。
【００２２】
本発明に係るブラシレスモータ１１では、ロータ１５に設けられた各永久磁石板２０ａの両側縁での磁極面積がロータ１５の周方向へ漸減することから、ロータ１５の外周での表面磁束密度は滑らかな波形に沿って変化する。従って、この滑らかに変化するロータ１５の磁界とステータ１４の回転磁界との磁気相互作用により、ロータ１５を円滑に作動させることができる。これにより送風ファン１２を円滑に作動させることができる。
【００２３】
また、各永久磁石板２０ａを構成する各永久磁石片２２ａは電気絶縁材料２７により電気的に相互に遮断されているので、うず電流は電気絶縁材料２７で区画された各永久磁石片２２ａの内部に閉じ込められるので、うず電流による各永久磁石板２０ａの発熱が抑制できる。
【００２４】
さらに、永久磁石板２０ａは同一の永久磁石片２２ａの電気絶縁材料２７を介した積み重ねにより形成されている。そのため、従来のスキュー着磁法を用いることなく、永久磁石片２２ａを組み合わせることによって、正弦曲線２９に近似した磁束密度の変化を得ることができる。また、永久磁石板２０（２０ａ）を構成する永久磁石片２２（２２ａ）の積層形態や積層数を変更することにより適宜形状の変更が容易である。
【００２５】
図７および図８に示す例は、永久磁石板２０ｂを構成する永久磁石片２２ａの積層形態と積層数とが図４に示した永久磁石板２０ａと異なる。永久磁石板２０ｂは電気絶縁材料２７を介して結合された９つの永久磁石片２２ａからなる。永久磁石板２０ｂの各永久磁石片２２ａは、永久磁石板２０ｂの外側面２４から見た図８で明らかなように、永久磁石片２２ａの両端部が波状に変化するように相互にロータ１５の周方向にずれをもたせて積層されており、これにより永久磁石板２０ｂの両側縁が周期的に階段状に変化する。
【００２６】
永久磁石板２０ｂは、図４に示した永久磁石板２０ａにおけると同様に、その両縁部での磁極面はその中央部を間に挟む両縁部で外縁へ向けて漸減する。そのため、永久磁石板２０ｂが組み込まれたロータ１５は、永久磁石板２０ｂの両側縁での磁極面積の漸減に応じて表面磁束密度が変化することから、正弦曲線２９に近似した磁束密度の変化を示す。
【００２７】
図９はロータ本体１１９に平板状の永久磁石板１２０が組み込まれた例を示す。この平板状の永久磁石板１２０は回転軸１８と直角な横断面で見て直線形状を有する。
【００２８】
ロータ１１５のロータ本体１１９に設けられる各永久磁石板１２０ａの詳細を図１０に示す。図１０に示す例では、永久磁石板１２０ａを構成する各永久磁石片１２２ａの形状が図４に示した永久磁石板２０ａの各永久磁石片２２ａと異なる。永久磁石片１２２ａの外側面２４および内側面２３は弧状に沿った曲面ではなく直線状の平面であり、これにより永久磁石片１２２ａは平板状を呈する。その他は図４における永久磁石片２２ａと同じである。永久磁石板１２０ａのずれの形態は図４における永久磁石板２０ａと同じであるため、電気絶縁材料２７を介して結合された６つの永久磁石片１２２ａからなる永久磁石板１２０ａの縁部は外側面２４から見ると図５に示す永久磁石板２０ａのそれと同様な形状となる。よって、この永久磁石板１２０ａは、その中央部を間に挟む両縁部で外縁へ向けて磁極面が漸減する。そのため、この永久磁石板１２０ａが組み込まれた図９に示すロータ１１５では、各永久磁石板１２０ａの両側縁での磁極面積の漸減に応じて図６に示すように、ロータ１１５の周方向への磁束密度の変化が理想的な表面磁束密度を示す正弦曲線２９に近くなる。
【００２９】
図１１に示す例では、永久磁石板１２０ｂを構成する平板状の永久磁石片１２２ａの積層形態と積層数とが図１０に示した永久磁石板１２０ａと異なる。永久磁石板１２０ｂの９つの永久磁石片１２２ａは、その両端部が波状に変化をするように、相互にロータ１１５の周方向にずれをもたせて積層されているので、永久磁石板１２０ｂの縁部は、図７に示す永久磁石板２０ｂのそれと同様な図８に示す縁部形状となる。これにより、図７に示す永久磁石板２０ｂと同様に、永久磁石板１２０ｂが組み込まれたロータ１１５は永久磁石板１２０ｂの両側縁での磁極面積の漸減に応じて表面磁束密度が変化することから、正弦曲線２９に近似した磁束密度の変化を示す。
【００３０】
以上に示した永久磁石板２０（２０ａ、２０ｂ）、１２０（１２０ａ、１２０ｂ）は、横方向に分割された複数の同一形状の永久磁石片２２（２２ａ、２２ｂ）、１２２（１２２ａ、１２２ｂ）を縦方向へ積層することにより形成されている。これに代えて、長さ寸法が相互に異なる永久磁石片を縦方向へ積層して前記したと同様な永久磁石板を形成することができる。例えば永久磁石板の片側縁が直線状になるように、長さ寸法が相互に異なる各永久磁石片の一方の端面を一直線状に整列するように積層する。このとき、各永久磁石片の他方の端面は、直線状に整列することはなく、従って、永久磁石板の他方の片側縁が各永久磁石片の長さに応じて、階段形状になる。
【００３１】
しかしながら、図示の各実施例に示したとおり、同一寸法の永久磁石片２２（２２ａ、２２ｂ）、１２２（１２２ａ、１２２ｂ）を周方向にずらして積層することにより形成された永久磁石板２０（２０ａ、２０ｂ）、１２０（１２０ａ、１２０ｂ）は、ロータ本体１９、１１９に組み込んだときに隣り合う永久磁石板２０（２０ａ、２０ｂ）、１２０（１２０ａ、１２０ｂ）と嵌合する形状になるので、より滑らかな動作が得られる。しかも、一種類の永久磁石片２２（２２ａ、２２ｂ）、１２２（１２２ａ、１２２ｂ）と電気絶縁材料２７とにより、永久磁石板２０（２０ａ、２０ｂ）、１２０（１２０ａ、１２０ｂ）を構成することができるので、製造も容易である。
【００３２】
〈実施の形態２〉
実施の形態１においては、永久磁石板２０（２０ａ、２０ｂ）、１２０（１２０ａ、１２０ｂ）を横方向すなわち横方向に沿った分割面で分割した形状の永久磁石片２２（２２ａ、２２ｂ）、１２２（１２２ａ、１２２ｂ）を用い、これらを上下方向に積層して各永久磁石板２０（２０ａ、２０ｂ）、１２０（１２０ａ、１２０ｂ）を構成した例を示した。これに対し、実施の形態２では、永久磁石板２０（２０ｃ〜２０ｆ）、１２０（１２０ｃ〜１２０ｆ）を縦方向すなわち縦方向の分割面に沿って分割した形状の永久磁石片２２（２２ｃ〜２２ｆ）、１２２（１２２ｃ〜１２２ｆ）を横方向に積層して各永久磁石板２０（２０ｃ〜２０ｆ）、１２０（１２０ｃ〜１２０ｆ）を構成した例を示す。実施の形態２では、実施の形態１で説明したと同様の電気絶縁材料２７が各永久磁石片２２（２２ｃ〜２２ｆ）、１２２（１２２ｃ〜１２２ｆ）間に配置されているが、説明の簡素化のために、以下の例では電気絶縁材料２７を省略して示す。実施の形態２では、永久磁石板２０（２０ｃ〜２０ｆ）、１２０（１２０ｃ〜１２０ｆ）のそれぞれを構成する各永久磁石片２２（２２ｃ〜２２ｆ）、１２２（１２２ｃ〜１２２ｆ）は、永久磁石板２０（２０ｃ〜２０ｆ）、１２０（１２０ｃ〜１２０ｆ）毎に、同一の厚さ方向に磁化されている。
【００３３】
図１２に示す永久磁石板２０ｃは、全体に瓦形状を呈し、図３のロータ１５に適用される。永久磁石板２０ｃは、６つの同一寸法および同一磁気強度を有する矩形の中間永久磁石片２２ｂと、中間永久磁石片２２ｂを間に挟む一対の両縁永久磁石片２２ｃ、２２ｃとを備える。一対の両縁永久磁石片２２ｃ、２２ｃは、互いに寸法、形状及び磁化強度が同一の永久磁石片２２ｃからなる。各中間永久磁石片２２ｂは、前記したように瓦形状の永久磁石板を回転軸方向すなわち縦方向の分割面に沿って分割した形状であり、外側面２４および内側面２３は瓦形状に沿って湾曲している。また、両縁永久磁石片２２ｃの外側面２４および内側面２３は瓦形状に沿って湾曲している。両縁永久磁石片２２ｃは、外側面２４で見て直角三角形の平面形状を有し、それぞれの斜辺が永久磁石板２０ｃの側縁となるように、互いに上下方向を反転させて相互に点対称の関係で中間永久磁石片２２ｂに組み付けられている。
【００３４】
これにより、永久磁石板２０ｃは、縦方向に分割された６つの永久磁石片２２ｂおよび一対の永久磁石片２２ｃ、２２ｃをロータ１５の周方向すなわち横方向に積層して構成されている。
【００３５】
永久磁石板２０ｃが組み込まれたロータ本体１９では、各永久磁石板２０ｃの両縁部に傾斜辺を有する永久磁石片２２ｃが配置されることから、この永久磁石片２２ｃを有する永久磁石板２０ｃは、その中央部を間に挟む両縁部で外縁へ向けて磁極面が漸減する。よって、この永久磁石板２０ｃが組み込まれたロータ１５の周方向への磁束密度の変化が理想的な表面磁束密度を示す正弦曲線２９に近くなる。
【００３６】
図１３に示す瓦形状の永久磁石板２０ｄでは、その複数の中間永久磁石片２２ｂを挟む両縁永久磁石片２２ｄおよび２２ｅが、図１２の永久磁石板２０ｃの両縁永久磁石片２２ｃと異なる。永久磁石板２０ｄの一方の縁部に位置する永久磁石片２２ｄは外側面２４から見ると、永久磁石片２２ｄの周方向から見て中間永久磁石片２２ｂ側に位置する内縁は回転軸１８と平行であり、永久磁石片２２ｄの外縁は永久磁石片２２ｄの内縁に対して角度的、すなわち回転軸方向に関して傾斜した４つの直線部分により規定される二つの連続する三角波形を呈する。永久磁石板２０ｄの他方の縁部に位置する永久磁石片２２ｅは外側面２４から見ると、永久磁石片２２ｅの内縁は回転軸１８と並行であり、永久磁石片２２ｅの外縁は、前記一方の縁部に位置する永久磁石２２ｄの前記外縁形状に対応してこれに嵌合可能の三角波形を呈する。
【００３７】
永久磁石板２０ｄの両縁部での磁極面はその中央部を間に挟む両縁部で外縁へ向けて漸減する。そのため、永久磁石板２０ｄが組み込まれたロータ１５は永久磁石板２０ｄの両側縁での磁極面積の漸減に応じて表面磁束密度が変化することから、正弦曲線２９に近似した磁束密度の変化を示す。
【００３８】
図１４および図１５に示すように、瓦形状を有する永久磁石板２０（２０ｅ、２０ｆ）の一方の縁を回転軸方向に平行な直縁とし、他方の側縁を回転軸方向に関して傾斜した直線部分を含む形状とすることができる。
【００３９】
図１４に示す永久磁石板２０ｅでは、永久磁石板２０ｅの一方の側縁が回転軸１８と平行な直縁を有する中間永久磁石片２２ｂで規定される直縁である。また、永久磁石板２０ｅの他方の側縁は、図１２に示した永久磁石片２２ｃの斜辺により規定される傾斜直縁である。
【００４０】
図１５に示す永久磁石板２０ｆは、図１３に示す永久磁石板２０ｄから永久磁石片２２ｅを取り除いた形状を有している。すなわち、回転軸１８と平行な直縁を有する複数の中間永久磁石片２２ｂが周方向に配列され、その一方の側縁に傾斜部をもつ永久磁石片２２ｄが配置されている。
【００４１】
図１４および図１５に示した永久磁石板２０ｅおよび２０ｆでは、永久磁石片２２ｃおよび２２ｄにより規定される傾斜部が設けられた永久磁石片２２ｃおよび２２ｄが配置される片縁部の磁極面が外縁へ向けて漸減する。そのため、永久磁石板２０ｅおよび２０ｆが組み込まれたロータ１５の周方向への磁束密度の変化が理想的な表面磁束密度を示す正弦曲線２９に近くなる。
【００４２】
図１６ないし図１９は、全体に平板状の永久磁石板１２０（１２０ｃ〜１２０ｆ）を縦方向に分割した形状の永久磁石片１２２（１２２ｃ〜１２２ｆ）を横方向に積層して永久磁石板１２０（１２０ｃ〜１２０ｆ）の構成した例を示し、図９のロータ１１５に適用される。
【００４３】
図１６ないし図１９で示す永久磁石板１２０（１２０ｃ〜１２０ｆ）は、図１２ないし図１５で示した瓦形状の永久磁石板２０（２０ｃ〜２０ｆ）を平板状の永久磁石板１２０（１２０ｃ〜１２０ｆ）に適用した例である。従って、各永久磁石板１２０（１２０ｃ〜１２０ｆ）は、外側面２４および内側面２３が湾曲している各永久磁石板２０（２０ｃ〜２０ｆ）のそれらと異なり、回転軸１８と直角な横断面で見て直線形状を有する。しかし、平板状の永久磁石板１２０（１２０ｃ〜１２０ｆ）のそれぞれを外側面２４から見た形状は瓦形状の各永久磁石板２０（２０ｃ〜２０ｆ）のそれと同じである。
【００４４】
従って、外側面２４から見ると平板状の永久磁石板１２０ｃは瓦形状の永久磁石板２０ｃと、永久磁石板１２０ｄは永久磁石板２０ｄと、永久磁石板１２０ｅは永久磁石板２０ｅと、永久磁石板１２０ｆは永久磁石板２０ｆと、それぞれ同形状を呈している。図１６および図１７に示す平板状の永久磁石板１２０ｃおよび１２０ｄは、図１２および図１３に示す瓦形状の永久磁石板２０ｃおよび２０ｄと同様に、両縁部において磁極面が漸減する。図１８および図１９に示す平板状の永久磁石板１２０ｅ、１２０ｆは、図１４および図１５に示す瓦形状の永久磁石板２０ｅ、２０ｆと同様に、片方の縁部において磁極面が漸減する。各永久磁石板１２０ｃないし各永久磁石板１２０ｆがそれぞれ組み込まれたロータ１１５は該ロータの周方向への磁束密度の変化が理想的な表面磁束密度を示す正弦曲線２９に近くなる。
【００４５】
永久磁石板２０（２０ｃ〜２０ｆ）、１２０（１２０ｃ〜１２０ｆ）の両縁部または片縁部を構成する永久磁石片２２（２２ｃ〜２２ｆ）、１２２（１２２ｃ〜１２２ｆ）の形状は、永久磁石板２０（２０ｃ〜２０ｆ）、１２０（１２０ｃ〜１２０ｆ）の両縁部または片縁部で滑らかな磁極面積の変化が得られる限り、上記の例以外の形状を採用することができる。
【００４６】
また、実施の形態２に示したように、永久磁石板２０（２０ｃ〜２０ｆ）、１２０（１２０ｃ〜１２０ｆ）を縦方向に沿った分割面で分割した形状の永久磁石片２２（２２ｃ〜２２ｆ）、１２２（１２２ｃ〜１２２ｆ）を横方向に積層した例では、永久磁石板２０（２０ｃ〜２０ｆ）、１２０（１２０ｃ〜１２０ｆ）の両側縁または片側縁に積層された永久磁石片２２（２２ｃ〜２２ｆ）、１２２（１２２ｃ〜１２２ｆ）の形状が磁極面の変化になるので段差が生じることがなく、より滑らかな磁極面の変化が得られる。
【００４７】
縦、横のどちらの方向に積層した例であっても、所定の形状を有する複数の永久磁石片を組み合わせて永久磁石板を構成することができるので、スキュー着磁法に比べ製造が容易であり、必要に応じて所望形状の永久磁石板を得ることができる。
【００４８】
前記したところでは、ロータ１５、１１５に配置される各永久磁石板２０（２０ａ〜２０ｆ）、１２０（１２０ａ〜１２０ｆ）はロータ本体１９、１１９の周方向へ異なる磁極面が交互に位置するように配置されていたが、ロータ本体１９、１１９の周方向へ少なくとも一対の異なる磁極面が配列される限り、同じ磁極面を有する永久磁石板２０（２０ａ〜２０ｆ）、１２０（１２０ａ〜１２０ｆ）を隣り合って配置することができる。
【００４９】
本発明に係るブラシレスモータは、これを電動送風機以外の他の電気機器にも使用することができる。
【００５０】
【発明の効果】
本発明に係るブラシレスモータによれば、ロータに設けられた各永久磁石板は、複数の永久磁石片が絶縁材料を介して相互に組み合わせられることから、うず電流による温度上昇が抑制される。また、前記永久磁石板の少なくとも一方の側縁の形状を階段形状または前記回転軸方向に関して傾斜した直線部分を含む形状とすることにより、前記ロータの周方向の磁束密度の変化を正弦波形状に近くすることができる。これにより、製造が比較的容易であり、うず電流の発生を抑制することができ、円滑に動作させることができる。
【図面の簡単な説明】
【図１】本発明に係るブラシレスモータを備える電動送風機の一部を破断して示す断面図である。
【図２】図１に示すロータを拡大して示す断面図である。
【図３】図２に示すロータの端面図である。
【図４】本発明に係るロータに組み込まれる永久磁石板を示す斜視図である。
【図５】図４に示す永久磁石板を示す側面図である。
【図６】本発明に係るロータの表面磁束密度変化と回転角度との関係を示すグラフである。
【図７】本発明に係る永久磁石板の他の例を示す図４と同じ斜視図である。
【図８】図７に示す永久磁石板を示す図５と同様な側面図である。
【図９】本発明に係るロータの他の例を示す図３と同様な端面図である。
【図１０】図９に示すロータに組み込まれる永久磁石板を示す斜視図である。
【図１１】本発明に係る永久磁石板のさらに他の例を示す斜視図である。
【図１２】本発明に係る永久磁石板のさらに他の例を示す図４と同様な斜視図である。
【図１３】本発明に係る永久磁石板のさらに他の例を示す図４と同様な斜視図である。
【図１４】本発明に係る永久磁石板のさらに他の例を示す図４と同様な斜視図である。
【図１５】本発明に係る永久磁石板のさらに他の例を示す図４と同様な斜視図である。
【図１６】本発明に係る永久磁石板のさらに他の例を示す図１０と同様な斜視図である。
【図１７】本発明に係る永久磁石板のさらに他の例を示す図１０と同様な斜視図である。
【図１８】本発明に係る永久磁石板のさらに他の例を示す図１０と同様な斜視図である。
【図１９】本発明に係る永久磁石板のさらに他の例を示す図１０と同様な斜視図である。
【符号の説明】
１１  ブラシレスモータ
１４  ステータ
１５、１１５  ロータ
１８  回転軸
１９、１１９  ロータ本体
２０（２０ａ、２０ｂ、２０ｃ、２０ｄ、２０ｅ、２０ｆ）、１２０（１２０ａ、１２０ｂ、１２０ｃ、１２０ｄ、１２０ｅ、１２０ｆ）  永久磁石板
２２（２２ａ、２２ｂ、２２ｃ、２２ｄ、２２ｅ）、１２２（１２２ａ、１２２ｂ、１２２ｃ、１２２ｄ、１２２ｅ）  永久磁石片
２７  電気絶縁材料
【図１】
2005006372.tif 000003
【図２】
2005006372.tif 000004
【図３】
2005006372.tif 000005
【図４】
2005006372.tif 000006
【図５】
2005006372.tif 000007
【図６】
2005006372.tif 000008
【図７】
2005006372.tif 000009
【図８】
2005006372.tif 000010
【図９】
2005006372.tif 000011
【図１０】
2005006372.tif 000012
【図１１】
2005006372.tif 000013
【図１２】
2005006372.tif 000014
【図１３】
2005006372.tif 000015
【図１４】
2005006372.tif 000016
【図１５】
2005006372.tif 000017
【図１６】
2005006372.tif 000018
【図１７】
2005006372.tif 000019
【図１８】
2005006372.tif 000020
【図１９】
2005006372.tif 000021